(57)【要約】【課題】  ２枚の開閉扉に関連性を持たせることにより、視覚的なインパクトが強く、遊技者の関心を引きつけることができるパチンコ機を実現する。【解決手段】  第１開閉扉５１および第２開閉扉６１が共に閉じた状態になると、各前面５２，６２は連続状の平面になる。第２開閉扉６１が単独で開放されると第２大入賞口６３が開口する。両開閉扉が閉じた状態から第１開閉扉５１が開放されると、それに連動して第２開閉扉６１も一体となって開放され、第１大入賞口５３が開口する。両開閉扉が一体となって開放されると、それまで２枚存在していたように見えた開閉扉が、あたかも２倍に拡大された１枚の開閉扉に変化したように見える。【選択図】  図４
2005349075.tif 000002
【特許請求の範囲】
【請求項１】
遊技球を発射する遊技球発射装置と、
この遊技球発射装置により発射された遊技球が流下する遊技領域と、
この遊技領域に設けられており、流下する遊技球を受入れる受入れ口を開閉可能な遊技球受入れ装置とを備えたパチンコ機において、
第１開閉扉を有する第１遊技球受入れ装置および第２開閉扉を有する第２遊技球受入れ装置を備えており、
前記第１開閉扉および前記第２開閉扉は上下の関係に配置されており、
前記第１開閉扉および第２開閉扉は、それぞれ自身の上部を前方へ開放可能に設けられているとともに、開放した方の前記上部の後側には前記受入れ口が形成され、
前記第１開閉扉および第２開閉扉の少なくとも一方は、単独で開放可能であるとともに、他方の開放に連動して開放可能であり、
前記第１開閉扉および第２開閉扉が共に開いた状態または共に閉じた状態において、前記第１開閉扉および第２開閉扉の前面が一体化されることを特徴とするパチンコ機。
【請求項２】
前記第１開閉扉および第２開閉扉の一方の上端および他方の下端は、前記第１開閉扉および第２開閉扉が共に開いた状態および共に閉じた状態において相互に係止される構造に形成されており、前記一方は前記構造を利用して前記他方の開放に連動して開放可能であることを特徴とする請求項１に記載のパチンコ機。
【請求項３】
前記第１開閉扉および第２開閉扉の前面には、前記第１開閉扉および第２開閉扉の前面が一体化された状態になったときに完成するデザインが施されていることを特徴とする請求項１または請求項２に記載のパチンコ機。
【請求項４】
前記第１開閉扉および第２開閉扉の開放するときの中心軸が共通であることを特徴とする請求項１ないし請求項３のいずれか１つに記載のパチンコ機。
【発明の詳細な説明】
【技術分野】
【０００１】
この発明は、遊技領域を流下する遊技球を受入れる受入れ口を開閉可能な遊技球受入れ装置を備えたパチンコ機に関する。
【背景技術】
【０００２】
従来、この種のパチンコ機として、特許文献１に記載のものが知られている。このパチンコ機は、遊技盤上に第１開閉扉を備えており、その上部に第２開閉扉を併設している。普通図柄表示部に当り普通図柄が表示されると、第２開閉扉が開放され、第２始動口が開口する。この第２始動口に遊技球が入賞すると、特別図柄表示装置が特別図柄の変動を開始し、大当り図柄が停止すると大当りが発生し、第１開閉扉が開放され、大入賞口が開口する。
【０００３】
【特許文献１】特開２００１−２０４９１４号公報（公報第３１〜３４段落、図３〜図６）。
【発明の開示】
【発明が解決しようとする課題】
【０００４】
しかし、上記従来のパチンコ機に備えられた第１開閉扉および第２開閉扉は、それぞれ固有の回動軸を中心に回動するため、例え、両開閉扉が同時に開放したとしても、遊技者からは２枚の開閉扉がそれぞれ独立して開放されたようにしか見えない。つまり、大当りが発生すると大入賞口が開口する変動入賞装置を備えたパチンコ機を見慣れた遊技者からは、上記従来のパチンコ機は、ただ単に開閉扉が従来よりも１枚増えただけに見えるため、視覚的なインパクトが弱いので遊技者の関心を引きつけることが難しいという問題がある。
【０００５】
そこでこの発明は、上述の問題を解決するためになされたものであり、２枚の開閉扉に関連性を持たせることにより、視覚的なインパクトが強く、遊技者の関心を引きつけることができるパチンコ機を実現することを目的とする。
【課題を解決するための手段】
【０００６】
この発明は、上記目的を達成するため、請求項１に記載の発明では、遊技球を発射する遊技球発射装置と、この遊技球発射装置により発射された遊技球が流下する遊技領域と、この遊技領域に設けられており、流下する遊技球を受入れる受入れ口を開閉可能な遊技球受入れ装置とを備えたパチンコ機において、第１開閉扉（５１）を有する第１遊技球受入れ装置（５０）および第２開閉扉（６１）を有する第２遊技球受入れ装置（６０）を備えており、前記第１開閉扉（５１）および前記第２開閉扉（６１）は上下の関係に配置されており、前記第１開閉扉（５１）および第２開閉扉（６１）は、それぞれ自身の上部を前方へ開放可能に設けられているとともに、開放した方の前記上部の後側には前記受入れ口（５３、６３）が形成され、前記第１開閉扉（５１）および第２開閉扉（６１）の少なくとも一方は、単独で開放可能であるとともに、他方の開放に連動して開放可能であり、前記第１開閉扉（５１）および第２開閉扉（６１）が共に開いた状態または共に閉じた状態において、前記第１開閉扉（５１）および第２開閉扉（６１）の前面（５２、６２）が一体化されるという技術的手段を用いる。
【０００７】
ここで、上記「一体化される」とは、第１開閉扉および第２開閉扉が構造的に一体化される場合の他、構造的には一体化されていないが肉眼で一体化されたように見える場合を含む意味である。例えば、後述の発明を実施するための最良の形態にて説明するように、第１開閉扉５１および第２開閉扉６１が共に開放すると、第１開閉扉５１および第２開閉扉６１は、１枚の板状に一体化され、第１開閉扉５１の前面５２および第２開閉扉６１の前面６２は一体化されて１つの連続状の平面に変化する。また、各前面５２，６２には、「ＯＰＥＮ」という文字が完成し、各前面５２，６２のデザインが一体化される（図４（Ｃ））。
【０００８】
請求項２に記載の発明では、請求項１に記載のパチンコ機において、前記第１開閉扉（５１）および第２開閉扉（６１）の一方の上端および他方の下端は、前記第１開閉扉および第２開閉扉が共に開いた状態および共に閉じた状態において相互に係止される構造に形成されており、前記一方は前記構造を利用して前記他方の開放に連動して開放可能であるという技術的手段を用いる。
【０００９】
例えば、後述の発明を実施するための最良の形態にて説明するように、第１開閉扉５１の下端５１ａおよび第２開閉扉６１の上端６１ａは相互に係止される構造に形成されており、その構造を利用して第２開閉扉６１は、第１開閉扉５１の前方への開放に連動して開放可能になっている（図５、図６）。
【００１０】
請求項３に記載の発明では、請求項１または請求項２に記載のパチンコ機において、前記第１開閉扉（５１）および第２開閉扉（６１）の前面（５２、６２）には、前記第１開閉扉（５１）および第２開閉扉（６１）の前面（５２、６２）が一体化された状態になったときに完成するデザインが施されているという技術的手段を用いる。
【００１１】
例えば、後述の発明を実施するための最良の形態にて説明するように、第１開閉扉５１の前面５２には、「ＯＰＥＮ」という文字の上半分が表示されており、第２開閉扉６１の前面６２には、上記文字の下半分が表示されており、各前面５２、６２が一体化された状態になると、各前面５２、６２には、「ＯＰＥＮ」という文字が完成する（図５）。
【００１２】
請求項４に記載の発明では、請求項１ないし請求項３のいずれか１つに記載のパチンコ機において、前記第１開閉扉（５１）および第２開閉扉（６１）の開放するときの中心軸（６６ａ）が共通であるという技術的手段を用いる。
【００１３】
例えば、後述の発明を実施するための最良の形態にて説明するように、第１開閉扉５１および第２開閉扉６１は、共通の第２軸部材６６を共通の回動軸にして前方へ開放する（図５）。
【発明の効果】
【００１４】
（請求項１に記載の発明の効果）
第１開閉扉および第２開閉扉の少なくとも一方は、単独で開放可能でありながら、第１開閉扉および第２開閉扉が共に開いた状態または共に閉じた状態において、第１開閉扉および第２開閉扉の前面を一体化させることができる（以降において第１開閉扉および第２開閉扉について共通の事項を説明する場合は単に開閉扉という）。
つまり、第１開閉扉または第２開閉扉が単独で開放することにより、開閉扉が２枚存在するように見せることができる一方、両開閉扉の前面を一体化させることにより、あたかも開閉扉が２倍に拡大されたように見せることができる。
従って、視覚的なインパクトが強く、遊技者の関心を引きつけることができるパチンコ機を実現することができる。
【００１５】
（請求項２に記載の発明の効果）
第１開閉扉および第２開閉扉の一方の上端および他方の下端が相互に係止される構造を利用して、一方を他方の開放に連動して開放させることができるため、あたかも２倍に拡大された開閉扉が開放されるように見せることができる。
従って、視覚的なインパクトが強く、遊技者の関心を引きつけることができるパチンコ機を実現することができる。
また、両開閉扉の一部を利用して両開閉扉の連動を実現しているため、その連動のための特別の機構や装置などを別個に設ける必要がない。
従って、両開閉扉を連動して開放させるために必要なコストを抑制することができる。
【００１６】
（請求項３に記載の発明の効果）
第１開閉扉および第２開閉扉の前面が一体化される前は完成していなかったデザインが両開閉扉の前面が一体化されることにより完成した状態に変化するため、視覚的なインパクトが強く、遊技者の関心を引きつけることができるパチンコ機を実現することができる。
【００１７】
（請求項４に記載の発明の効果）
第１開閉扉および第２開閉扉の開放するときの中心軸が共通であるため、両開閉扉が一体化された状態で連動して開放される印象を強くすることができる。
【発明を実施するための最良の形態】
【００１８】
［全体の主要構成］
まず、この実施形態のパチンコ機の主要構成について図１および図２を参照して説明する。図１は、そのパチンコ機の外観を正面から見た説明図である。図２は図１に示すパチンコ機に備えられた遊技盤を正面から見た概略説明図である。
図１に示すように、パチンコ機１には、外殻を構成する外枠２が設けられており、その外枠２にはガラス枠３が開閉可能に取付けられている。ガラス枠３の内側には遊技盤５が設けられており、外枠２の前面右下方には、遊技盤５へ遊技球を発射する発射装置（図示省略）を操作する発射レバー１５ａが回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
外枠２の左側面には、プリペイドカードユニット９０が接続されており、プリペイドカードユニット９０には、プリペイドカードを挿入するカード挿入口９８が設けられている。カード挿入口９８の内部には、プリペイドカードに記録された情報（残り度数）を読取るとともに、その情報を貸球要求に応じて書換え、残り度数を算出する装置が設けられている。上受け皿６の前面には、遊技球の貸出しを行う場合に押す貸出ボタン８１と、カード挿入口９８に挿入されているプリペイドカードを返却するために押す返却ボタン８２と、プリペイドカードユニット９０により読取られたプリペイドカードの残り度数などを表示する度数表示部８４とが備えられている。
【００１９】
［遊技盤の主要構成］
遊技盤５には、センターケース３０が備えられている。センターケース３０には、複数の特別図柄（たとえば、０〜９の数字を表現した図柄）を変動表示する特別図柄表示装置３２が設けられている。特別図柄表示装置３２は、たとえば複数の特別図柄を縦方向に配列した図柄列を画面の横方向３個所の表示領域においてそれぞれ上から下に向けて移動（スクロール）させる。
センターケース３０の下方には、第１種始動口２７を内部に有する普通電動役物２８が設けられている。遊技球が第１種始動口２７に入賞すると、特別図柄表示装置３２が特別図柄の変動表示を開始する。また、１個の遊技球が第１種始動口２７に入賞すると、所定個数（たとえば、４個）の賞球が払出される。なお、特別図柄の変動表示中に遊技球が第１種始動口２７に入賞した場合は、その入賞による特別図柄の変動表示が保留され、その保留された変動表示は、現在行われている変動表示終了後に行われる。その保留されている数（以下、特別図柄始動記憶数という）は特別図柄表示装置３２の上部に設けられた特別図柄始動記憶数表示装置３５により表示される。この実施形態では、特別図柄始動記憶数表示装置３５は、４個のＬＥＤから構成されており、そのＬＥＤの点灯数により特別図柄始動記憶数を表示する。
【００２０】
特別図柄表示装置３２は、特別図柄の変動表示開始から所定時間経過すると、各表示領域において変動している各図柄列を所定の順序で停止させ、各表示領域に確定図柄を表示する。そして、各確定図柄が大当り図柄（たとえば、７７７などの同一数字からなるもの）の場合に大当りが発生する。大当りが発生すると、普通電動役物２８の下方に設けられた変動入賞装置４０が作動し、第１開閉扉５１および第２開閉扉６１の少なくとも一方が開放し、大入賞口（図４において符号５３、６３で示す）が開口する。そして、大入賞口に遊技球が入賞すると、所定個数（たとえば１５個）の賞球が払出される。大入賞口が開口してから所定時間（たとえば約３０秒）経過したか、あるいは大入賞口への入賞数が所定数（たとえば１０個）に達したかのいずれかの条件が満足されると大入賞口が閉口する。大入賞口の開口から閉口までを１ラウンドといい、ラウンド中に、大入賞口の内部に設けられた特定領域に遊技球が入賞したことを条件として次のラウンドに進むことができ、複数のラウンド（たとえば１５ラウンド）を実行することができる。
【００２１】
また、遊技球が遊技盤５に設けられた右ゲート２５または左ゲート２６を通過すると、特別図柄表示装置３２が所定の表示領域にて複数の普通図柄を変動表示し、当りの普通図柄が確定表示されると、普通電動役物２８の両翼が開放し、第１種始動口２７への入賞が容易となる。なお、普通図柄の変動表示中に遊技球が右ゲート２５または左ゲート２６を通過した場合は、その通過による普通図柄の変動表示が保留され、その保留された変動表示は、現在行われている変動表示終了後に行われる。その保留されている数（以下、普通図柄始動記憶数という）は、特別図柄始動記憶数表示装置３５の左側に設けられている普通図柄始動記憶数表示装置３３により表示される。この実施形態では、普通図柄始動記憶数表示装置３３は４個のＬＥＤから構成されており、そのＬＥＤの点灯数により普通図柄始動記憶数を表示する。
【００２２】
また、遊技盤５には、右入賞口２２、左入賞口２３、右下入賞口１４および左下入賞口１５（以下、これらの入賞口を一般入賞口という）が設けられている。１個の遊技球がいずれかの一般入賞口に入賞すると所定個数（たとえば、７個）の賞球が払出される。
その他遊技盤５には、風車２４、発射された遊技球を遊技領域へ案内する案内レール１６、遊技盤５の上方角部を装飾するコーナー飾り１１、側部を装飾するサイド飾り２０、どこにも入賞しなかった遊技球をアウト球として回収するアウト口１７などが設けられている。なお、図示しないが、遊技盤５の盤面には、多くの遊技釘が打ち込まれており、発射された遊技球は遊技釘に衝突することによって流下方向が変化する。
【００２３】
［変動入賞装置４０の構造］
次に、変動入賞装置４０の構造について図３ないし図６を用いて説明する。
図３（Ａ）は変動入賞装置４０の正面図であり、図３（Ｂ）は図３（Ａ）に示す第１開閉扉５１および第２開閉扉６１を右側面から見た説明図である。図３（Ｃ）は第２開閉扉６１が開放した変動入賞装置４０の正面図であり、図３（Ｄ）は図３（Ｃ）に示す第１開閉扉５１および第２開閉扉６１を右側面から見た説明図である。図３（Ｅ）は第１開閉扉５１および第２開閉扉６１が開放した変動入賞装置４０の正面図であり、図３（Ｆ）は図３（Ｅ）に示す第１開閉扉５１および第２開閉扉６１を右側面から見た説明図である。
図４（Ａ）は変動入賞装置４０を右斜め上方から見た斜視図であり、図４（Ｂ）は第２開閉扉６１が開放した変動入賞装置４０の斜視図であり、図４（Ｃ）は第１開閉扉５１および第２開閉扉６１が開放した変動入賞装置４０の斜視図である。
図５（Ａ）は第１開閉扉５１および第２開閉扉６１を左斜め上方から見た斜視図であり、図５（Ｂ）は第２開閉扉６１が開放した状態を示す斜視図であり、図５（Ｃ）は第１開閉扉５１および第２開閉扉６１が開放した状態を示す斜視図である。
図６（Ａ）は相互に係止された状態の第１開閉扉５１の下端および第２開閉扉６１の上端の一部を拡大して示す説明図であり、図６（Ｂ）は第１開閉扉５１の下端の一部を拡大して示す説明図であり、図６（Ｃ）は第２開閉扉６１の上端の一部を拡大して示す説明図である。
【００２４】
図４に示すように、変動入賞装置４０は、遊技盤５の盤面に取付けるための取付パネル４１を備えており、取付パネル４１は、盤面の表側に露出する表パネル４５と、盤面に形成された取付用の開口部（図示省略）へ嵌め込まれる裏パネル４６とを備える。表パネル４５には、取付用の釘やビスなどを挿通する複数の取付孔４４が貫通形成されている。また、表パネル４５の前面の左右には、変動入賞装置４０が作動するときなどに点灯するＬＥＤにより装飾された装飾部４３がそれぞれ配置されている。
変動入賞装置４０は、第１変動入賞機構５０および第２変動入賞機構６０の２つの変動入賞機構を備える（以下、第１変動入賞機構５０および第２変動入賞機構６０に共通の事項を説明する場合は、単に変動入賞機構という）。第１変動入賞機構５０は第１開閉扉５１を備えており、第２変動入賞機構６０は第２開閉扉６１を備える（以下、第１開閉扉５１および第２開閉扉６１に共通の事項を説明する場合は、単に開閉扉という）。第１開閉扉５１の下に第２開閉扉６１が配置されている。第１開閉扉５１は、横長の板状に形成されており、平面状の前面５２を備える。
【００２５】
第２開閉扉６１も平面状の前面６２を備えており、図４（Ｂ）に示すように、第２開閉扉６１の背面には、遊技球Ｐを受け入れて後方へ転動させるための受入れ面６５が形成されており、受入れ面６５は、急傾斜部６５ａおよび緩傾斜部６５ｂから構成されている。急傾斜部６５ａは、第２開閉扉６１が開放された状態になったときに、前方から後方へ急な下り勾配となった傾斜面を形成し、緩傾斜部６５ｂは、急傾斜部６５ａの下端から後方へ緩やかな下り勾配となった傾斜面を形成する。第２開閉扉６１が開放されると、急傾斜部６５ａの前端と、閉じた状態の第１開閉扉５１の下端との間に第２大入賞口６３が開口する。
図４（Ｃ）に示すように、表パネル４５の中央には、略四角形の開口部４５ａが形成されており、その開口部４５ａを開閉するように第１開閉扉５１および第２開閉扉６１が取付けられている。第１開閉扉５１が閉じると、その上端が開口部４５ａの上端に係止される。
図４（Ａ）に示すように、第１開閉扉５１および第２開閉扉６１が共に閉じた状態になると、第１開閉扉５１の下端と第２開閉扉６１の上端とが近接し、各前面５２，６２が一体化して連続状の平面になる。また、図４（Ｂ）に示すように、第１開閉扉５１が閉じている状態のときに第２開閉扉６１は単独で開放可能になっている。第２開閉扉６１は、その上端を前方へ傾倒させるようにして開放され、第２開閉扉６１が開放されると、第２開閉扉６１の急傾斜部６５ａの前端と、閉じた状態の第１開閉扉５１の下端との間に第２大入賞口６３が開口する。さらに、図４（Ｃ）に示すように、第１開閉扉５１が開放されると、それに連動して第２開閉扉６１も開放されるようになっている。第１開閉扉５１は、その上端を前方へ傾倒させるようにして開放され、開放された状態の第１開閉扉５１の上端と開口部４５ａとの間に第１大入賞口５３が開口する。
【００２６】
第１開閉扉５１の前面５２の下部には、「ＯＰＥＮ」という英文字の上半分が表示されており、第２開閉扉６１の前面６２の上部には、上記「ＯＰＥＮ」という英文字の下半分が表示されている。図４（Ａ）に示すように、第１開閉扉５１および第２開閉扉６１が共に閉じた状態になると、両前面５２，６２に「ＯＰＥＮ」という英文字が完成する。
図５に示すように、第１開閉扉５１の両側面には、第１側面部材５４がそれぞれ形成されている。以下の説明では、第１開閉扉５１の中央に向かう方向を内方または内側とする。各第１側面部材５４は、第１開閉扉５１の両端から後方へ突出するように形成されている。各第１側面部材５４の下端には、第１アーム５５がそれぞれ形成されている。各第１アーム５５は、第１側面部材５４の下端から外方へ水平に延びるように形成されている。各第１アーム５５の外方端部には、第２アーム５６がそれぞれ形成されている。各第２アーム５６は、第１アーム５５の外方端部から後方へ延びるように形成されている。各第２アーム５６の後端の外側面には、軸受部５７がそれぞれ設けられており、各軸受部５７の外方側面には、第１軸部材５８がそれぞれ取付けられている。各第１軸部材５８は、軸受部５７の外方側面から外方に向けて突出するように取付けられている。
また、図４に示すように、開口部４５ａの両側縁の中央付近には、切欠部４２がそれぞれ切欠き形成されている。図４（Ｃ）に示すように、切欠部４２は、第１開閉扉５２が開放するときに、第１アーム５５および第２アーム５６が挿通可能であるが、軸受部５７（図５）は挿通不可能な大きさに形成されている。つまり、第１開閉扉５２が開放するときに、切欠部４２から第１アーム５５、第２アーム５６の順に前方へ突出するが、軸受部５７が、切欠部４２近傍の表パネル４５の裏面に当接することにより、第１開閉扉５２の所定角度以上の開放が阻止される。
【００２７】
第２開閉扉６１の両側面には、第２側面部材６４がそれぞれ形成されている。以下の説明では、所定位置から第２開閉扉６１の中央に向かう方向を内方または内側とする。各第２側面部材６４は、第２開閉扉６１の側面から前方へ突出した前方側面部６４ａと、後方へ突出した後方側面部６４ｂとから構成される。前方側面部６４ａは、図４（Ａ）に示すように、第２開閉扉６１が閉じた状態では、表パネル４５から前方へ突出した姿勢になっており、図４（Ｂ）に示すように、第２開閉扉６１が開放されると、前方側面部６４ａが表パネル４５の前面に当接し、第２開閉扉６１の回動が阻止される。
各第２側面部材６４の外方側面には、第２軸部材６６がそれぞれ取付けられている。各第２軸部材６６は、第２側面部材６４の外方側面から外方へ突出するように取付けられている。各第２アーム５６の後端下部には、リンク部材５９がそれぞれ形成されている。各リンク部材５９の上部は、それぞれ第２アーム５６の後端下部に接続されており、下部は、それぞれ第２軸部材６６の方向へ延びており、その下部の内側から外側に向けて第２軸部材６６がそれぞれ挿通されている。各リンク部材５９の下部は、それぞれ第２軸部材６６を回動軸として回動自在になっている。
【００２８】
各第２軸部材６６の先端部６６ａは、その近傍に設けられた軸受（図示省略）にそれぞれ挿通されている。第１開閉扉５１および第２開閉扉６１の開閉時の共通の回動中心になっている。
各第２側面部材６４の外方側面であって、図５（Ａ）に示すように、第１開閉扉５１および第２開閉扉６１が共に閉じた状態において、第２軸部材６６の取付基部から見て斜め後方斜め下へ偏心した位置には、第３軸部材６７がそれぞれ取付けられている。各第３軸部材６７は、上記偏心した位置から外方へ突出するようにそれぞれ取付けられている。
つまり、第１側面部材５４、第１アーム５５、第２アーム５６、軸受部５７、第１軸部材５８、リンク部材５９、第２側面部材６４および第２軸部材６６は、両開閉扉５１，６１を共通の回動軸である第２軸部材６６を回動中心にして回動させるためのリンク機構として機能する。
図６（Ｂ）に示すように、第１開閉扉５１の下端には、前面５２の下端から後方へ凹んだ第１段部５１ａが形成されている。第１段部５１ａは、下向きの面であって前面５２から後方へ入り込んだ面である段部下面５１ｂと、前方を向いた段部前面５１ｃとから構成される。
【００２９】
図６（Ｃ）に示すように、第２開閉扉６１の上端には、上端面６１ｂの後端から下方へ凹んだ第２段部６１ａが形成されている。第２段部６１ａは、後方を向いた段部後面６１ｃと、上方を向いた段部下面６１ｄとから構成される。
図６（Ａ）に示すように、第１開閉扉５１および第２開閉扉６１が共に閉じたい状態になると、第１段部５１ａの段部下面５１ｂと第２開閉扉６１の上端面６１ｂとが当接し、第１段部５１ａの段部前面５１ｃと第２段部６１ａの段部後面６１ｃとが当接し、第１開閉扉５１の下端面５１ｄと第２段部６１ａの段部下面６１ｄとが当接する。つまり、第１段部５１ａと第２段部６１ａとが相互に係止された状態になる。
この状態では、第２開閉扉６１が前方へ回動すると、第２段部６１ａは第１段部５１ａとの係止状態が解除されるため、第２開閉扉６１だけが単独で開放され、第１開閉扉５１は閉じた状態を維持する。また、逆に、第１開閉扉５１が前方へ回動すると、第１段部５１ａおよび第２段部６１ａの相互の係止状態は解除されず、第１段部５１ａの段部前面５１ｃが第２段部６１ａの段部後面６１ｃを前方へ押圧するため、第１開閉扉５１の開放と連動して第２開閉扉６１も開放される。
【００３０】
２つの第１軸部材５８の一方は、連結部材（図示省略）により、第１ソレノイド（図示省略）のプランジャと連結されており、２つの第３軸部材６７の一方は、連結部材（図示省略）により、第２ソレノイド（図示省略）のプランジャと連結されている。図５（Ａ）に示すように、第１開閉扉５１および第２開閉扉６１が共に閉じた状態で第２ソレノイドが駆動され、そのプランジャが伸張すると、第３軸部材６７は、第２軸部材６６の先端部６６ａを回動中心にして、図５（Ａ）において矢印Ｆ３で示す方向（反時計方向）へ回動し、図５（Ｂ）に示すように第２開閉扉６１だけが単独で開放され、第２大入賞口６３が開口する。また、図５（Ｂ）に示すように第２開閉扉６１だけが単独で開放された状態で第２ソレノイドが非駆動状態になり、プランジャが退縮すると、第３軸部材６７は、第２軸部材６６の先端部６６ａを回動中心にして、図５（Ａ）において矢印Ｆ４で示す方向（時計方向）へ回動し、図５（Ａ）に示すように閉じた状態に戻る。
【００３１】
また、図５（Ａ）に示すように、第１開閉扉５１および第２開閉扉６１が共に閉じた状態で第１ソレノイドが駆動され、そのプランジャが伸張すると、第１軸部材５８は、第２軸部材６６の先端部６６ａを回動中心にして、図５（Ａ）において矢印Ｆ１で示す方向（反時計方向）へ回動し、図５（Ｃ）に示すように第１開閉扉５１および第２開閉扉６１が共に開放され、第１大入賞口５３が開口する。このとき、両開閉扉５１，６１は、各前面５２，６２を連続状の平面に維持した状態で、第２軸部材６６の先端部６６ａを共通の回動軸にして連動して開放される。
また、図５（Ｃ）に示すように第１開閉扉５１および第２開閉扉６１が共に開放された状態で第１ソレノイドが非駆動状態になり、そのプランジャが退縮すると、第１軸部材５８は、第２軸部材６６の先端部６６ａを回動中心にして、図５（Ａ）において矢印Ｆ２で示す方向（時計方向）へ回動する。一方、第２開閉扉６１は、各第２側面部材６４の各後方側面部６４ｂおよび各第３軸部材６７の自重と、非駆動状態となっているプランジャが原点へ復帰しようとする力とによって矢印Ｆ２で示す方向（時計方向）へ回動する。
つまり、第１開閉扉５１および第２開閉扉６１は、図５（Ａ）に示すように、共に閉じた状態に戻る。このとき、両開閉扉５１，６１は、各前面５２，６２を連続状の平面に維持した状態で、第２軸部材６６の先端部６６ａを共通の回動軸にして連動して閉じる。
【００３２】
第１変動入賞機構５０および第２変動入賞機構６０が作動するタイミングおよび作動条件としては、種々の組合せがある。例えば、大当りのラウンドを実行しているときに、両変動入賞機構５０，６０が作動して、両開閉扉５１，６１が連動して開閉するラウンドと、第２変動入賞機構６０だけが作動して第２開閉扉６１だけが単独で開閉するラウンドとを交互に実行するようにしても良いし、所定のラウンド数ずつ分けて実行しても良い。以下、両開閉扉５１，６１が連動して開閉することを連動開閉といい、第２開閉扉６１だけが単独で開閉することを単独開閉という。
また、大当り図柄の種類によって全てのラウンドを連動開閉にするか、あるいは、単独開閉にするかを決定しても良い。
さらに、大当りの発生確率が通常であるか、通常よりも高くなった遊技状態（いわゆる確変）であるかによって、全てのラウンドを連動開閉にするか、あるいは、単独開閉にするかを決定しても良い。
さらに、１つのラウンド中に連動開閉および単独開閉を混在させても良い。この場合、連動開閉および単独開閉における各開閉扉の開放時間が異なるようにしても良い。
さらに、１つのラウンドにおいて連動開閉および単独開閉のどちらか一方を実行する場合において、どちらかをランダムに発生させても良い。
なお、第１大入賞口５３または第２大入賞口６３に入賞した遊技球は、その流下途中に設けられたスイッチによって検出され、そのスイッチから出力される検出信号がＣＰＵによって検出されると、そのＣＰＵから賞球払出装置へ指令が出され、その賞球払出装置によって所定個数の遊技球が賞球として上受け皿６へ払出される。
【００３３】
以上のように、第１開閉扉５１および第２開閉扉６１が共に閉じた状態から、第２開閉扉６１は、単独で開閉することができる。このため、それを見た遊技者は、２枚の開閉扉が存在することが分かる。また、両開閉扉５１，６１を連動して、かつ、各前面５２，６２を連続した平面状に維持した状態で開閉させることができる。このため、それを見た遊技者は、あたかも開閉扉の大きさが２倍に変化したように見える。
さらに、両開閉扉５１，６１にそれぞれ別個に表示されている英文字の一部が、両開閉扉５１，６１が共に閉じた状態になることにより、英文字の全体が完成するという演出を行うことができる。このため、遊技者は、英文字が未完成の状態と完成された状態とに変化する様子を楽しむことができる。
【００３４】
［最良の形態の効果］
（１）以上のように上記最良の形態のパチンコ機１を使用すれば、第１開閉扉５１および第２開閉扉６１のうち、第２開閉扉６１は単独で開放可能でありながら、両開閉扉５１，６１が共に開いた状態または共に閉じた状態において、両開閉扉５１，６１の各前面５２，６２を一体化させることができる。
つまり、第２開閉扉６１が単独で開放することにより、開閉扉が２枚存在するように見せることができる一方、両開閉扉５１，６１の各前面５２，６２を一体化させることにより、あたかも開閉扉が２倍に拡大されたように見せることができる。
従って、視覚的なインパクトが強く、遊技者の関心を引きつけることができるパチンコ機を実現することができる。
【００３５】
（２）しかも、第１開閉扉５１の下端および第２開閉扉６１の上端が相互に係止される構造を利用して、第２開閉扉６１を第１開閉扉５１の開放に連動して開放させることができるため、あたかも２倍に拡大された開閉扉が開放されるように見せることができる。
従って、視覚的なインパクトが強く、遊技者の関心を引きつけることができるパチンコ機を実現することができる。
また、両開閉扉５１，６１の一部を利用して両開閉扉５１，６１の連動を実現しているため、その連動のための特別の機構や装置などを別個に設ける必要がない。
従って、両開閉扉５１，６１を連動して開放させるために必要なコストを抑制することができる。
【００３６】
（３）また、両開閉扉５１，６１の各前面５２，６２が一体化される前は完成していなかった英文字が各前面５２，６２が一体化されることにより完成した状態に変化するため、視覚的なインパクトが強く、遊技者の関心を引きつけることができるパチンコ機を実現することができる。
（４）さらに、両開閉扉５１，６１の開放するときの中心軸が共通であるため、両開閉扉５１，６１が一体化された状態で連動して開放される印象を強くすることができる。
【００３７】
［他の実施形態］
（１）図７（Ａ）および（Ｂ）は、それぞれこの発明の他の実施形態に係るパチンコ機に備えられた第１開閉扉および第２開閉扉が相互に係止された状態を示す部分説明図である。
図７（Ａ）に示すように、第２開閉扉１１０の上端後面に当接する前面を有する段部１０１を第１開閉扉１００の下端に形成しても良い。この構成によれば、第１開閉扉１００が前方へ回動すると、段部１０１の前面が第２開閉扉１１０の上端後面を前方へ押圧するため、第１開閉扉１００の開放に連動して第２開閉扉１１０を開放させることができる。
また、図７（Ｂ）に示すように、第１開閉扉２００の下端前面に当接する後面を有する段部２１１を第２開閉扉２１０の上端に形成しても良い。この構成によれば、第１開閉扉２００が前方へ回動すると、第１開閉扉２００の下端前面が第２開閉扉２１０の段部２１１の後面を前方へ押圧するため、第１開閉扉２００の開放に連動して第２開閉扉２１０を開放させることができる。
なお、上記図７（Ａ）および（Ｂ）に示すいずれかの構造を採用したパチンコ機は、それらの構造以外は、前述の最良の形態に係るパチンコ機と同じ構成および機能を備えるため、最良の形態の効果（１）ないし（４）と同じ効果を奏することができる。
【００３８】
（２）前記の各実施形態では、両開閉扉５１，６１の各前面５２，６２がそれぞれ平面状である場合を説明したが、それぞれ平面状でなくても良いし、一方だけが平面状であっても良い。つまり、両開閉扉５１，６１が共に開放された状態、または閉じた状態になったときに、各前面５２，６２が一体化されたように見えれば良い。例えば、一方の開閉扉の前面が凹凸形状であり、他方の開閉扉も凹凸形状または平面状でも良い。例えば、各前面にそれぞれ立体的な構造が形成されており、両前面が一体化したときに１つの構造物が完成するようにしても良い。
なお、最良の形態において各前面５２，６２が一体化されたときに完成する英文字「ＯＰＥＮ」は一例であり、他の文字、メッセージ、宣伝広告など、表示する対象は限定されない。
（３）前記の各実施形態では、第２開閉扉６１が単独で開閉可能な場合を説明したが、第１開閉扉５１が単独で開閉可能となるように構成しし、第２開閉扉６１の開閉に連動して第１開閉扉５１が開閉するように構成しても良い。
【００３９】
（４）前記の各実施形態では、両開閉扉５１，６１が相互に係止された構造を利用して一方の開放に連動して他方を開放する構成を説明したが、そのような構造を使用しないで、各ソレノイドを駆動するタイミングを制御することにより、両開閉扉５１，６１を各前面５２，６２が一体化された状態を維持しながら同時に開閉させることにより、両開閉扉５１，６１があたかも連動して開閉するように見せても良い。この場合、各開閉扉がそれぞれ単独でも開閉するようにしても良い。
（５）両開閉扉５１，６１が共に開放された状態または閉じた状態において、各前面５２，６２が一体化されたように見えれば良く、一方の開閉扉の形状や大きさが異なっていても良い（例えば、一方が他方よりも横幅が長いなど）。
（６）両開閉扉が共に開放されるときの開放時間と、一方が単独で開放するときの開放時間とを異ならせても良い。この構成を使用すれば、時と場合によって開放時間が異なるという面白味を加えることができる。
（７）前記各実施形態において記載した各部材および機構は一例であり、設計変更できることは勿論である。例えば、第１開閉扉５１および第２開閉扉６１を共通の回動軸を中心にして回動させるためのリンク機構は、図５に示した機構に限定されるものではない。
【００４０】
［各請求項と実施形態との対応関係］
第１変動入賞機構５０が請求項１に記載の第１遊技球受入れ装置に対応し、第２変動入賞機構６０が第２遊技球受入れ装置に対応する。
【図面の簡単な説明】
【００４１】
【図１】パチンコ機の外観を正面から見た説明図である。
【図２】図１に示すパチンコ機に備えられた遊技盤を正面から見た概略説明図である。
【図３】図３（Ａ）は変動入賞装置４０の正面図であり、図３（Ｂ）は図３（Ａ）に示す第１開閉扉５１および第２開閉扉６１を右側面から見た説明図である。図３（Ｃ）は第２開閉扉６１が開放した変動入賞装置４０の正面図であり、図３（Ｄ）は図３（Ｃ）に示す第１開閉扉５１および第２開閉扉６１を右側面から見た説明図である。図３（Ｅ）は第１開閉扉５１および第２開閉扉６１が開放した変動入賞装置４０の正面図であり、図３（Ｆ）は図３（Ｅ）に示す第１開閉扉５１および第２開閉扉６１を右側面から見た説明図である。
【図４】図４（Ａ）は変動入賞装置４０を右斜め上方から見た斜視図であり、図４（Ｂ）は第２開閉扉６１が開放した変動入賞装置４０の斜視図であり、図４（Ｃ）は第１開閉扉５１および第２開閉扉６１が開放した変動入賞装置４０の斜視図である。
【図５】図５（Ａ）は第１開閉扉５１および第２開閉扉６１を左斜め上方から見た斜視図であり、図５（Ｂ）は第２開閉扉６１が開放した状態を示す斜視図であり、図５（Ｃ）は第１開閉扉５１および第２開閉扉６１が開放した状態を示す斜視図である。
【図６】図６（Ａ）は相互に係止された状態の第１開閉扉５１の下端および第２開閉扉６１の上端の一部を拡大して示す説明図であり、図６（Ｂ）は第１開閉扉５１の下端の一部を拡大して示す説明図であり、図６（Ｃ）は第２開閉扉６１の上端の一部を拡大して示す説明図である。
【図７】図７（Ａ）および（Ｂ）は、それぞれこの発明の他の実施形態に係るパチンコ機に備えられた第１開閉扉および第２開閉扉が相互に係止された状態を示す部分説明図である。
【符号の説明】
【００４２】
１    パチンコ機
４０    変動入賞装置
５０    第１変動入賞機構（第１遊技球受入れ装置）
５１    第１開閉扉
５２、６２    前面
５３    第１大入賞口
６０    第２変動入賞機構（第２遊技球受入れ装置）
６１    第２開閉扉
６３    第２大入賞口
【図１】
2005349075.tif 000003
【図２】
2005349075.tif 000004
【図３】
2005349075.tif 000005
【図４】
2005349075.tif 000006
【図５】
2005349075.tif 000007
【図６】
2005349075.tif 000008
【図７】
2005349075.tif 000009